(57)【要約】【課題】無線通信事業者との契約状況により通信速度が制限される前に、別の通信手段に切り替えることができる昇降機の遠隔監視システムの提供。【解決手段】本発明は、乗かご２を監視する遠隔監視装置４に接続され、無線通信事業者が所有する基地局６を介して遠隔的に接続される監視センタ８と通信を行う無線装置５を有し、この無線装置４は、近隣に設置された無線装置との間で通信を行う無線装置間通信部５２と、無線通信事業者の基地局６との通信量を計測する基地局通信量計測部５３とを備えるとともに、遠隔監視装置４が乗かご２の異常を検出し、検出した故障情報を監視センタ８に通報する際、基地局通信量計測部５３によって計測された通信量が規定の通信量を超えているときには、無線装置間通信部５２を介して近隣に設置される無線装置に乗かご２の故障情報を中継させる情報中継手段５５を備えている。【選択図】図３
2016204156.tif 000002
【特許請求の範囲】
【請求項１】
昇降路内を昇降する昇降機の異常を監視し、通報する遠隔監視装置と、この遠隔監視装置に接続され、無線通信事業者が所有する基地局を介して遠隔的に接続される監視センタと通信を行う無線装置とを有する昇降機の遠隔監視システムにおいて、
前記無線装置は、
近隣に設置された無線装置との間で通信を行う無線装置間通信部と、
前記無線通信事業者の前記基地局との通信量を計測する基地局通信量計測部とを備えるとともに、
前記遠隔監視装置が前記昇降機の異常を検出し、検出した故障情報を前記監視センタに通報する際、前記基地局通信量計測部によって計測された通信量が規定の通信量を超えているときには、前記無線装置間通信部を介して前記近隣に設置される無線装置に前記故障情報を中継させる情報中継手段を備えたことを特徴とする昇降機の遠隔監視システム。
【請求項２】
請求項１に記載の昇降機の遠隔監視システムにおいて、
前記情報中継手段は、前記近隣に設置される無線装置から前記無線装置間通信部に送られてきた前記故障情報を、前記監視センタに中継送信する際に、中継送信した旨を示す情報を付加する処理を行うことを特徴とする昇降機の遠隔監視システム。
【請求項３】
請求項１または２に記載の昇降機の遠隔監視システムにおいて、
前記昇降機は、エレベータの乗かごから成ることを特徴とする昇降機の遠隔監視システム。
【発明の詳細な説明】
【技術分野】
【０００１】
本発明は、エレベータの乗かご等の昇降機を監視する遠隔監視装置と、遠隔地に設けられた監視センタとの間で無線通信を行う昇降機の遠隔監視システムに関する。
【背景技術】
【０００２】
エレベータの乗かご等の昇降機の状態を監視する昇降機の遠隔監視システムにおいては、昇降機に設置され、この昇降機を監視する遠隔監視装置と、遠隔地に設けられて昇降機の監視を行う監視センタとは電話回線で接続されている。この電話回線としては、有線のアナログ公衆回線網や、ＰＨＳ網などの無線通信網が使用されており、近年はＩＰ（Internet Protocol）網を通信網に使用する場合もある。
【０００３】
昇降機に異常が発生した場合には、その旨が遠隔監視装置から通信回線を介して監視センタへ連絡され、監視センタは異常を修復させる適切な対応を営業所に指示し、該当する営業所は昇降機の復旧作業を行う作業者を現地に派遣して異常に対応する。
【０００４】
このような設備または機器の従来の遠隔監視システムの１つとして、特許文献１に、設備または機器を監視する通信装置、及びこの通信装置に接続されたＰＨＳ等の無線装置により、設備または機器のデータを収集し、無線通信網、及び複数の基地局を介して通信し、遠隔地に設置されたセンタ装置へ通知する設備・機器の監視装置が開示されている。
【０００５】
しかしながら、無線装置の設置が可能と判断され、適切に設置された場合であっても、その後の周辺環境の変化、例えば無線装置の基地局の減少、無線装置と基地局との電波の送受信を遮る高階床の建築物の竣工、または電波の一時的な減衰や電波の反射による影響により電波状況の悪化が発生し、通信装置と遠隔監視センタとの間で通信が正常に実施できなくなる虞があった。
【０００６】
このように、無線装置を適切に設置した後でも、通信網の品質が劣化する虞があることに伴い、従来、特許文献２に記載された技術が提案されている。この特許文献２に記載された従来技術は、クライアント端末がアクセスポイントと接続できない場合、他のクライアント端末に接続し、この接続されたクライアント端末を中継して他の基地局に接続するものである。この従来技術を本発明の対象とする昇降路の遠隔監視システムに適用すれば、遠隔監視装置が基地局と接続できないときに、他の遠隔監視装置に接続し、この接続された他の遠隔監視装置を中継して他の基地局に接続し、これによって遠隔監視装置と監視センタとの通信が可能になると考えられる。
【先行技術文献】
【特許文献】
【０００７】
【特許文献１】特開２００３−２７４０３６号公報
【特許文献２】特開２０００−３４９７８７号公報
【発明の概要】
【発明が解決しようとする課題】
【０００８】
しかしながら、前述した特許文献２に記載された従来技術では、無線通信事業者との契約状況、例えば契約で規定されている通信パケット量については考慮されていない。例えば、ＬＴＥ規格で通信パケット量が月に１Gbyte の契約であつた場合、通信パケット量１Gbyte までは、無線通信事業者が提供する通信速度、一般的に２５Mbps の通信が可能であるが、通信パケット量が１Gbyte を超えると、１２８Kbps と極端に通信速度が制限されることになる。
【０００９】
このように通信速度が制限されている状態で、遠隔監視装置が昇降機や設備の異常を検出し監視センタに通報しても、監視センタでは昇降機や設備の異常状態を把握するまでに時間がかかり、その結果、異常事態への対応が遅れてしまうことになる。
【００１０】
本発明は、前述した従来技術における実情からなされたもので、その目的は、無線通信事業者との契約状況により通信速度が制限される前に、別の通信手段に切り替えることができる昇降機の遠隔監視システムを提供することにある。
【課題を解決するための手段】
【００１１】
前記目的を達成するために、本発明に係る昇降機の遠隔監視システムは、昇降路内を昇降する昇降機の異常を監視し、通報する遠隔監視装置と、この遠隔監視装置に接続され、無線通信事業者が所有する基地局を介して遠隔的に接続される監視センタと通信を行う無線装置とを有する昇降機の遠隔監視システムにおいて、前記無線装置は、近隣に設置された無線装置との間で通信を行う無線装置間通信部と、前記無線通信事業者の前記基地局との通信量を計測する基地局通信量計測部とを備えるとともに、前記遠隔監視装置が前記昇降機の異常を検出し、検出した故障情報を前記監視センタに通報する際、前記基地局通信量計測部によって計測された通信量が規定の通信量を超えているときには、前記無線装置間通信部を介して前記近隣に設置される無線装置に前記故障情報を中継させる情報中継手段を備えたことを特徴としている。
【発明の効果】
【００１２】
本発明に係る昇降機の遠隔監視システムは、無線通信事業者との契約状況により通信速度が制限される前に、別の通信手段に切り替えることができる。このように本発明は、突如発生する通信速度の低下の要因を排除できるので、安定した無線通信を実現させることができるとともに、監視センタにあっては、従来懸念されていた通信速度の低下に起因する異常事態への対応遅れを防止することができる。前述した以外の課題、構成及び効果は、以下の実施形態の説明により明らかにされる。
【図面の簡単な説明】
【００１３】
【図１】本発明に係る昇降機の遠隔監視システムの一実施形態の基本構成を示す図である。
【図２】本実施形態に備えられる基地局の電波到達範囲の一例を示す図である。
【図３】本実施形態に備えられる遠隔監視装置、無線装置、及び監視センタの構成を示す図である。
【図４】本実施形態に備えられる無線装置の処理動作を示すフローチャートである。
【発明を実施するための形態】
【００１４】
以下、本発明に係る昇降機の遠隔監視システムの実施の形態を図面に基づいて説明する。
【００１５】
図１は本発明に係る昇降機の遠隔監視システムの一実施形態の基本構成を示す図である。
【００１６】
この図１に示すように、本実施形態は、エレベータの昇降路１内を昇降し階床９ａ，９ｂ，９ｎに停止する昇降機、例えば乗かご２を昇降制御する制御装置３と、この制御装置３から出力される制御信号に応じて乗かご２の異常を監視する遠隔監視装置４と、この遠隔監視装置４に接続されて無線通信を行う無線装置５と、この無線装置５に接続されたアンテナ５Ａとを備えている。また、本実施形態は、遠隔監視装置４から離れた遠隔地に配置され、遠隔監視装置４を遠隔的に監視する監視センタ８と、遠隔監視装置４と監視センタ８とを接続する無線通信網７と、この無線通信網７の所有者である無線通信事業者が所有する基地局６と、この基地局６に接続されたアンテナ６１とを備えている。
【００１７】
図２は本実施形態に備えられる基地局の電波到達範囲の一例を示す図である。
【００１８】
この図２に示すように、基地局６の電波到達範囲には、例えば無線装置５ａ，５ｂ，５ｃ，５ｄがそれぞれ配置されており、無線装置５ａ，５ｂは、後述の無線装置間通信部で通信できる範囲に設置されている。また、無線装置５ｃ，５ｄも同様に、後述の無線装置間通信部で通信できる範囲に設置されている。なお、無線装置間通信で使用する通信規格については、Ｗｉ−Ｆｉ規格、Bluetooth（登録商標）規格等、特に問わない。
【００１９】
図３は本実施形態に備えられる遠隔監視装置、無線装置、及び監視センタの構成を示す図である。
【００２０】
この図３に示すように、本実施形態に備えられる遠隔監視装置４は、制御装置３から出力される制御信号を受信して、乗かご２の異常情報や稼働情報を監視する昇降機監視部４１と、検出した異常情報や稼働情報を、無線装置５を介して監視センタ８に通報する情報送信部４２とを有している。これらの昇降機監視部４１及び情報送信部４２は、制御部４３によって制御される。
【００２１】
監視センタ８は、無線通信網７と接続される通信装置８４と、遠隔監視装置４に関係する顧客名や設置住所等が登録されるデータベース８３と、監視センタ８のオペレータに必要な情報を表示する表示装置８２と、オペレータが必要な情報を入力する入力装置８１とを有している。これらの通信装置８４、データベース８３、表示装置８２、及び入力装置８１は、制御部８５によって制御される。
【００２２】
無線装置５は、基地局６と通信を行う基地局通信部５１と、近隣の無線装置５と相互に通信を行う無線装置間通信部５２と、基地局６と通信を行う際に発生した通信量を計測する基地局通信量計測部５３と、この基地局通信量計測部５３で計測した通信量に応じて、通信方式を基地局通信部５１と無線装置間通信部５２とのいずれかに切り替える通信機能切替手段５４と、近隣の無線装置から無線装置間通信部５２に送られてきた異常情報や稼働情報を、監視センタ８に中継送信する際に、中継送信した旨を示す情報を付加する情報中継手段５５とを有している。これらの基地局通信部５１、無線装置間通信部５２、基地局通信量計測部５３、通信機能切替手段５４、及び情報中継手段５５は、制御部５６によって制御される。
【００２３】
図４は本実施形態に備えられる無線装置の処理動作を示すフローチャートである。
【００２４】
はじめに、故障検出側の無線装置の処理動作について説明する。
【００２５】
まず、乗かご２の異常を受信したかどうかを判断する（手順Ｓ１１）。乗かご２の異常を受信していないとき（手順Ｓ１１でＮｏ）は、手順Ｓ１１を繰り返し実施する。乗かご２の異常を受信したとき（手順Ｓ１１でＹｅｓ）は、無線通信事業者の基地局６を介して監視センタ８と通信を行った通信量、すなわち基地局通信量計測部５３で計測された通信量を確認する（手順Ｓ１２）。
【００２６】
この手順Ｓ１２で確認した通信量が、無線通信事業者との契約に基づく規定量を超えているかどうか判断する（手順Ｓ１３）。規定量を超えていないとき（手順Ｓ１３でＮｏ）には、基地局通信部５１から無線通信事業者の基地局６を介して、監視センタ８に乗かご２の異常情報を送信（手順Ｓ１４）し、処理を終了する。
【００２７】
通信量が規定量を超えているとき（手順Ｓ１３でＹｅｓ）には、通信機能切替手段５４により、通信方式を基地局通信部５１から無線装置間通信部５２に切り替える（手順Ｓ１５）。この切り替えた無線装置間通信部５２を介して、近隣の無線装置に対して乗かご２の故障情報を送信（手順Ｓ１６）し、処理を終了する。
【００２８】
次に、近隣の無線装置側の処理動作について説明する。
【００２９】
故障を検出する側の無線装置５の無線装置間通信部５２からの送信に基づいて、故障情報を受信したかどうか判断する（手順Ｓ２１）。故障を検出する側の無線装置５から故障情報を受信していないとき（手順Ｓ２１でＮｏ）は、手順２１を繰り返し実施する。故障を検出する側の無線装置５から故障情報を受信したとき（手順Ｓ２１でＹｅｓ）は、受信した故障情報に、無線装置間で中継した旨を示す情報を付加する（手順Ｓ２２）。
【００３０】
続いて、この近隣の無線装置の基地局通信部から無線通信事業者の基地局６を介して、中継した乗かご２の異常情報を監視センタ８に送信（手順Ｓ２３）し、処理を終了する。
【００３１】
このように構成した本実施形態に係る遠隔監視システムによれば、無線通信事業者との契約状況により通信速度が制限される前に、別の通信手段、すなわち無線装置間通信部５２に切り替えることができる。このように本実施形態は、突如発生する通信速度の低下の要因を排除できるので、安定した無線通信を実現させることができるとともに、監視センタ８にあっては、通信速度の低下に起因する異常事態への対応遅れを防止することができる。
【００３２】
なお、本発明は前述した実施形態に限定されるものではなく、様々な変形態様が含まれる。前述した実施形態は本発明を分かり易くするために詳細に説明したものであり、本発明は、必ずしも説明した全ての構成を備えるものには限定されない。
【符号の説明】
【００３３】
１    昇降路
２    乗かご（昇降機）
３    制御装置
４    遠隔監視装置
４１  昇降機監視部
４２  情報送信部
４３  制御部
５    無線装置
５Ａ  アンテナ
５ａ  無線装置
５ｂ  無線装置
５ｃ  無線装置
５ｄ  無線装置
５１  基地局通信部
５２  無線装置間通信部
５３  基地局通信量計測部
５４  通信機能切替手段
５５  情報中継手段
５６  制御部
６    基地局
６１  アンテナ
７    無線通信網
８    監視センタ
８４  通信装置
８５  制御部
【図１】
2016204156.tif 000003
【図２】
2016204156.tif 000004
【図３】
2016204156.tif 000005
【図４】
2016204156.tif 000006